(57)【要約】  画像トラックとデータトラックとを別々に備えた、光ディスク（１００）のようなデータ記憶媒体、その形成方法および装置を提供する。前記媒体はユーザデータを記憶するデータトラックを持つユーザデータ記憶領域（１１２）と、ユーザデータを埋め込んだウォーターマーク（１０４、１１４）を形成するための人間可読情報を記録する非ユーザデータ画像トラックを備える。好ましくは、データトラック（１１６）は第１の螺旋（１２０）を成し、画像トラック（１１８）は第１の螺旋内に入れ子にされた異なる第２の螺旋（１２２）を成す。または、前記データトラック、前記画像トラックは同心円状に入れ子にされている。好ましくは、前記ウォーターマークに隣接するデータ記憶領域の前記データトラックのトラックピッチは、前記画像トラックを介在させるために広く取り、他のデータトラックのトラックピッチは狭くする。前記媒体は、再生専用型でも、追記型でも良い。【選択図】    図４
2009512104.tif 000002
【特許請求の範囲】
【請求項１】
ユーザデータを記憶するユーザデータ記憶領域を持つデータ記憶媒体を備えた装置であって、前記記憶領域は、ユーザデータを記憶する第１のトラックと、前記第１のトラックに隣接する、人間可読情報を記憶する第２のトラックとを有し、前記人間可読情報は前記媒体上の人間可読ウォーターマークの少なくとも一部を成し、ユーザデータは前記第２のトラックに記憶されないことを特徴とする装置。
【請求項２】
前記第１のトラックは、第１の螺旋の一部を成し、前記第２のトラックは、前記第１の螺旋内に入れ子にされた、別個の第２の螺旋の一部を成すことを特徴とする請求項１に記載の装置。
【請求項３】
前記第１の螺旋は、ユーザデータを記憶する、連続して隣接する複数のデータトラックから成り、前記第２の螺旋は、前記人間可読情報を記憶する、連続して隣接する複数の画像トラックから成り、連続して隣接する複数の画像トラックのうちの選択された一つは、連続して隣接する２つのデータトラック間に配置されることを特徴とする請求項１に記載の装置。
【請求項４】
前記第１のトラックは、第１の同心円を備え、前記第２のトラックは、前記第１の同心円内に入れ子にされた第２の同心円を実質備えることを特徴とする請求項１に記載の装置。
【請求項５】
前記第１のトラックは、第１のデータトラックであり、前記データ記憶領域は、前記第１のデータトラックに隣接する第２のデータトラックを有し、前記第２のトラックは、前記第１のデータトラックと前記第２のデータトラックとの間に配置される画像トラックであることを特徴とする請求項１に記載の装置。
【請求項６】
前記第２のトラックは、リードバックシステムの特性を有し、前記第２のトラック上の変換器のトラック追従動作中は、該変換器を前記第１のトラックに導くことを特徴とする請求項１に記載の装置。
【請求項７】
前記媒体は、光ディスクであることを特徴とする請求項１に記載の装置。
【請求項８】
前記媒体は、前記第１のトラックと前記第２のトラックとのそれぞれを規定する波状予備溝を設けた追記型媒体であることを特徴とする請求項１に記載の装置。
【請求項９】
前記媒体は、前記ユーザデータが第１のパーティにより前記第１のトラックに書き込まれ、続いて、前記人間可読情報が第２のパーティにより前記第２のトラックに書き込まれるよう構成されていることを特徴とする請求項８に記載の装置。
【請求項１０】
前記媒体は、複数の記録層を備え、前記第１のトラックと前記第２のトラックは第１層に配置され、追加画像トラックが第２層に配置され、前記人間可読ウォーターマークが前記第２のトラックおよび前記追加画像トラックを含むパターンとして表されることを特徴とする請求項１に記載の装置。
【請求項１１】
前記データ記憶領域は、ユーザデータを記憶する、連続して隣接する第１のデータトラック群と、ユーザデータを記憶する、連続して隣接する第２のデータトラック群とを有し、前記第１のデータトラック群は、隣り合う２つのデータトラックの中心線間の分離距離を含んだ第１のトラックピッチを備え、前記第２のデータトラック群は、前記第１のトラックピッチより広い第２のトラックピッチを備え、前記人間可読ウォーターマークを記録するために、複数の画像トラックが前記第２のデータトラック群の隣り合う２つのデータトラック間に埋め込まれていることを特徴とする請求項１に記載の装置。
【請求項１２】
ユーザデータを記憶し、人間可読情報がウォーターマークとして埋め込まれるユーザデータ記憶領域を形成するため、データ記憶媒体にデータを書き込むよう構成されたマスタリングシステムを備えた装置であって、前記記憶領域は、ユーザデータを記憶する第１のトラックと、前記第１のトラックに隣接する、前記人間可読情報を記憶する第２のトラックを有することを特徴とする装置。
【請求項１３】
前記マスタリングシステムは、前記ユーザデータを前記第１のトラックに書き込み、前記人間可読情報を前記第２のトラックに書き込むため、前記データ記憶媒体を選択的に露光する光源を備えていることを特徴とする請求項１２に記載の装置。
【請求項１４】
前記マスタリングシステムは、前記データ記憶媒体を同時に露光する第１の光源と第２の光源を備え、前記第１の光源は前記ユーザデータを前記第１のトラックに書き込み、前記第２の光源は前記人間可読情報を前記第２のトラックに書き込むことを特徴とする請求項１２に記載の装置。
【請求項１５】
前記データ記憶媒体は追記型媒体であることを特徴とする請求項１２に記載の装置。
【請求項１６】
ユーザデータを記録する、隣接する第１のデータトラックと第２のデータトラックをデータ記憶媒体のデータ記憶領域上に形成する工程と、人間可読ウォーターマークをデータ記憶領域に付加するため、前記第１のデータトラックと前記第２のデータトラックとの間の画像トラックに沿って人間可読情報を記録する工程と、を含むことを特徴とする方法。
【請求項１７】
前記形成工程において、前記第１のデータトラックと前記第２のデータトラックは第１の螺旋の一部を成し、前記画像トラックは、前記第１の螺旋内に入れ子にされた、別個の第２の螺旋の一部を成すことを特徴とする請求項１６に記載の方法。
【請求項１８】
前記形成工程において、前記第１のデータトラックと前記第２のデータトラックは同心円からなり、前記記録工程において、前記画像トラックは、同心円間に入れ子にされていることを特徴とする請求項１６に記載の方法。
【請求項１９】
前記記録工程において、前記画像トラックは、リードバックシステムの特性を有し、前記画像トラック上の変換器のトラック追従動作中は、該変換器を、第１のトラックまたは第２のトラックのうちの選択されたトラックに導くことを特徴とする請求項１６に記載の方法。
【請求項２０】
前記媒体は、光ディスクであることを特徴とする請求項１６に記載の方法。
【請求項２１】
前記媒体は、前記第１のデータトラックと前記第２のデータトラックとのそれぞれを規定する波状予備溝を設けた追記型媒体であることを特徴とする請求項１６に記載の方法。
【請求項２２】
前記形成工程において、前記第１のデータトラックと前記第２のデータトラックは、両トラックの各中心線間の半径方向距離として第１のトラックピッチを備え、当該方法は、さらに、ユーザデータを記録する、隣接する第３のデータトラックと第４のデータトラックを前記データ記憶領域内に形成する工程を含み、前記第３のデータトラックと前記第４のデータトラックは前記第１のトラックピッチより狭く且つ介在する画像トラックを収容するには不十分な第２のトラックピッチを備えていることを特徴とする請求項１６に記載の方法。
【発明の詳細な説明】
【技術分野】
【０００１】
本発明は、概してデジタルデータ記憶の分野に関し、特に、画像トラックとデータトラックとを別々に備えたデータ記憶媒体およびその形成方法に関するが、これに限定されるものではない。
【背景技術】
【０００２】
デジタルデータ記憶媒体においては、変換器および復元信号処理エレクトロニクスを介して媒体からデータを復元できるよう、データは符号化されて記憶されていることが多い。
【０００３】
特に有用な記憶媒体として光ディスクがある。光ディスクは一般的に可搬性であり、映像、音声、コンピュータＲＯＭなど、多種の異なるデータを記憶することができる。光ディスクは大抵、ＤＶＤ、ＤＶＤ−ＨＤ、Ｂｌｕ−Ｒａｙ、ミニディスク、ＣＤ、ＣＤ−ＲＯＭなどの工業規格で市販されている。また、光ディスクは再生専用型でも、追記型（１度もしくは数度にわたる）であっても良く、１または複数のデータ記憶層を有していても良い。
【０００４】
一般的に、再生専用型光ディスクは射出成形または同様の加圧成形により形成され、一連のピットとランドが各トラック（連続した螺旋、それぞれが独立した複数の同心円など）に沿って形成されている。変換器は、ピットとランドとの高低差により生じた両者の実効反射率の違いから、ピットとランドの切り替わり部分を検知し、そこからリードバック信号を生成する。
【０００５】
追記型光ディスクは、多くの場合、ディスク上の局部領域がデータ記録中にスペクトル変換され、これにより再生専用型光ディスクにおけるピットとランド同様に機能する、異なる反射特性の領域が形成されるように構成されている。
【発明の開示】
【発明が解決しようとする課題】
【０００６】
光ディスクやその他の媒体の一部に人間が読み取り可能な情報を付加したい場合がある。「ウォーターマーク」とも呼ばれる人間が読み取り可能な情報としては、図形、タイトルまたは内容情報、処理情報、機械可読情報（ＯＣＲ，バーコードなど）などがある。
【０００７】
従来、当業界において媒体上にそのような情報を付加する技術がいくつか提案されているが、それでもなお、記憶媒体（特に光ディスク）のデジタルコンテンツに対する顧客からの変わらぬ要求と共に、そうした情報の提供方法の改善が一貫して必要とされている。本発明は、これらならびにその他の課題の改善を目的としてなされたものである。
【課題を解決するための手段】
【０００８】
本発明の好適な実施形態は主に画像トラックとデータトラックとを別々に備えたデータ記憶媒体、およびその形成装置と形成方法に係るものである。
【０００９】
好適な実施形態によれば、媒体はユーザデータを記憶するためのデータトラックと、人間可読情報を記憶するための非ユーザデータ画像トラックとを含むユーザデータ記憶領域を備え、人間可読情報はユーザデータが埋め込まれた人間可読ウォーターマークの一部を成すことを特徴とする。
【００１０】
好ましくは、データトラックは第１の螺旋の一部を成し、画像トラックは前記第１の螺旋内に入れ子にされた異なる第２の螺旋の一部を成す。または、データトラックおよび画像トラックは媒体上に入れ子にされた同心円として形成される。
【００１１】
データ記憶領域内のウォーターマークに隣接するデータトラック間においては、介在する画像トラックを収容するようトラックピッチが広くなっていることが好ましく、データ記憶領域内のウォーターマークに隣接しないデータトラック間においては、トラックピッチが狭くなっていることが好ましい。媒体は好ましくは再生専用型もしくは追記型の光ディスクである。光ディスクは１層ディスクもしくは多層ディスクであってよく、画像データは多層にまたがって記録されても良い。
【００１２】
本発明のこれらならびにその他の特徴および利点は、以下の詳細な説明を添付図面と照らし合わせて読むとより完全に明らかになるであろう。
【発明を実施するための最良の形態】
【００１３】
図１は、データ記憶媒体１００の一例を示す平面図である。データ記憶媒体１００は、好ましくはＤＶＤ互換性のある再生専用型光ディスクである。ディスク１００は、実質上同様のディスクを一括形成し、通常の商業経路で正規に配布するためにパッケージ化するマスタリング／複製プロセスにより形成されたものとするが、これに限らない。
【００１４】
ディスク１００は、ユーザデータ（コンテンツ）がトラックに沿って記憶されているデータ記憶領域１０２を備えている。人間可読情報（例えば、ウォーターマーク）１０４は人間が読み取り可能なパターンである。この人間可読情報は、ユーザデータとは異なり、後述のようにユーザデータを埋め込んでいる。図１のウォーターマークは実質上デカルト（ｘ−ｙ）パターンとして配置されているものとする。
【００１５】
図２はデータ記憶媒体の第２の例である媒体１１０を示す。媒体１１０は、好ましくはＤＶＤ互換性のある追記型光ディスクである。上記のように、データ記憶領域１１２はトラックに沿ってユーザデータを記憶し、人間可読情報（ウォーターマーク）１１４は、ユーザデータとは異なり、ユーザデータを埋め込んでいる。この例においては、ウォーターマーク１１４はディスク１０をほぼ取り囲んでおり、好ましくは極座標により配置されている。なお、ウォーターマーク１０４、１１４は単なる例示であり、好適な実施形態によるタイプ、径方向位置、角度／半径方向範囲についてはこれに限定されない。
【００１６】
ウォーターマーク１０４、１１４は、データ記憶領域のデータトラック間の個々の非データトラック上に形成される。好ましくは、通常のデータトラックのトラック間隔（トラックピッチ）を広げることにより、この画像データを配置するのに十分な領域を確保する。
【００１７】
図３は従来のＤＶＤ記憶領域の概略を示す。データトラック１１６、すなわちトラックｎ、トラックｎ＋１およびトラックｎ＋２はユーザデータを、選択された可変長の反射特性が異なる連続するマーク（ピットとランド）として記憶する。各トラックは、好ましくは、連続する螺旋の一部もしくは個々の同心円として、ディスク周囲を３６０度全方位囲んでいる。
【００１８】
図３に示すように、例示のＤＶＤトラックは約０.７４ミクロン（μ）（０．７４×１０-６メートル）のトラックピッチ間隔で配列されている。トラックピッチとは、あるトラックの中心線（破線で示す）から隣接するトラックの中心線までの距離である。各トラック１１６の記録ピットの幅はトラックピッチの約半分、つまり、約０．３７ミクロンである。隣接するトラックのピット間の間隔もトラックピッチの約半分、つまり、約０．３７ミクロンである。これら種々寸法は上記に限られないが、一般的にサーボトラッキング性能を安定させ、クロストークと干渉を最小限にするよう選択される。
【００１９】
図４は図３に示したトラックのうちの１組の図であり、介在する画像トラック１１８（トラックｍ）を配置するため両者間のトラックピッチを広げた状態を示している。データトラック１１６同様、画像トラック１１８は好ましくは、連続する螺旋の一部もしくは個々の同心円として、媒体周囲を３６０度全方位囲んでいる。同一な一連のダッシュ記号で画像トラック１１８を示しているが、これは単に画像トラック１１８とデータトラック１１６を区別するための便宜上にしかすぎない。所望のウォーターマーク画像を得るために、任意の数および任意のタイプの断続的な記号を画像トラック１１８に沿って備えることができる。
【００２０】
図４に示すように、データトラック１１６の幅は上記と同じく約０．３７ミクロンに保たれているが、トラックピッチ（隣接するトラック１１６の中心線間の距離）は約１．４１ミクロンに広がっている。これに応じて、画像トラック１１８の幅はそれぞれ約０．３０ミクロンとなっており、上記同様トラック間隔は約０．３７ミクロンである。他の寸法ももちろん適宜使用可能である。
【００２１】
図５は選択された媒体上の（例えば、図１、２の媒体１００、２００）データトラックと画像トラックの第１の好適な配置を示す。この例において、各データトラック１１６は連続したユーザデータ螺旋１２０に沿って配置される。ユーザデータ螺旋１２０はユーザデータを記憶し、ほぼ従来通りにリードバック処理においてリードバックシステム（図示せず）により読み出される。画像トラック１１８は別個の画像データ螺旋１２２に沿って配置される。画像データ螺旋１２２全体、または一部のみがウォーターマーク形成に使用される。画像データ螺旋１２２は、ウォーターマークを所望の人間識別可能特性で可視化するために必要なピクセル化を行うよう構成されている。ユーザデータ螺旋１２０のピットとランドに比べて、画像データ螺旋１２２の長さ、幅、深さ、などの特性は類似しているか、または非常に異なっている。特に必要ではないが、好適な実施形態では、データトラックを形成するのに使用した装置を使って画像データを生成している。
【００２２】
好ましくは、ユーザデータ螺旋１２０と画像データ螺旋１２２間の間隔はほぼ一定に保たれ、この間隔は、そのタイプのディスクまたはその他の媒体にとって標準のトラック間隔に設定されている。両螺旋を持つディスク領域のデータ記憶容量は一般的に、ユーザデータトラックのみが使用された場合のその他の部分の約５０％となる。そうしたデータ記憶容量の減少はウォーターマークが延在する放射状帯にしか起こらず、ウォーターマークは好ましくはディスクの１層のデータ容量にしか影響しないため、特に問題ではない。
【００２３】
ウォーターマークがデータ記憶領域の半径方向全域の一部しか占めない場合、好ましくは、データ記憶領域の残りの部分は画像データ螺旋１２２を含まず、ユーザデータ螺旋１２０は図３に示すような従来のトラック間隔をとっている。参照までに、図５は、画像データ螺旋１２２の１トラック（すなわち、ディスク中心周囲の完全な１周）、およびユーザデータ螺旋１２０の２つの連続するトラック（すなわち、ディスク中心周囲の完全な２周）を示している。
【００２４】
図６は、個々の同心円状のトラックを媒体上に形成した、別のパターンレイアウトを示す。具体的には、３つの同心円状ユーザデータトラック１２４、１２６、１２８と、２つの同心円状画像データトラック１３０、１３２を示している。上記同様、好ましくはユーザデータトラックと画像データトラックと間の間隔は、実質上一定に保たれている。ウォーターマークが媒体の半径方向全域の一部だけ占めている場合、ユーザデータトラックは、非画像領域において、図３に示すようなより狭いトラックピッチをとっても良い。
【００２５】
なお、２つの隣接するユーザデータトラック間には、１つの画像トラックが示されているが、これに限定されるものではない。他の実施形態においては、複数の画像トラックが２つの隣接するユーザデータトラック間に挿入されても良いし、また、その逆であっても良い。また、適宜、螺旋形状のトラックと同心円形状のトラックがあっても良い。
【００２６】
図５および図６に例示される画像データトラックとユーザデータトラックは、図７および図８に示されるように、様々な方法で形成することができる。図７はマスタディスク１４２を好適に形成するマスタリングシステム１４０の機能ブロック図である。このマスタディスクから作られたスタンパから、その後ディスクが複製される。
【００２７】
マスタディスク１４２は、好ましくは、モータ１４４により制御可能に回転するガラス基板上にフォトレジスト層を含む。フォトレジストは、アクチュエータ１４８を介してディスク上を半径方向に横切って進む、光変換器１４６により選択的に露光される。
【００２８】
この時、フォトレジストの使用が好まれるが、必須ではない。その他のマスタディスク生成技術も開発されており、例えば、マスタディスクにデータを記録する際、一般的に、検知可能な特性を形成するＮＰＲ（non-photoresist）法やＰＴＭ（phase-transition-mastering）法などが代わりに使用され得ることは当業者にとって自明であろう。
【００２９】
制御回路１５０は、プログラマブルプロセッサおよびハードウェアもしくはファームウェア部品を備えていても良く、送信元１５２から入力データを受信し、画像データを送信元１５４から受信する。また、制御回路１５０は必要な信号処理を行い、エンコーダブロック１５６にデータストリームを出力する。エンコーダブロック１５６は、変換器１４６の書き込み光を変調するＥＦＭ（extended frequency modulated）信号を生成する。
【００３０】
図５に示すように、画像データとユーザデータがそれぞれ螺旋状に配列される時、好適な実施形態においては、２本の記録パスがガラスマスタ１４２上に形成される。つまり、ユーザデータ螺旋１１６全体が１パス期間に書き込まれ、画像データ螺旋１１８全体が他のパス期間に書き込まれる。画像データとユーザデータが図５に示すような同心円状トラックとして配列される場合、トラックを連続して書き込むことができる（例えばＩＤからＯＤへ）。それにより、例えば、ユーザデータ（例えば、データトラック１２８）の一部が書き込まれ、変換器がＯＤに向かって進み、画像データ（例えば、画像トラック１３２）の一部が書き込まれる。または、ユーザデータ全体が書き込まれた後、その間に画像データを挿入しても良い（または、その逆であっても良い）。
【００３１】
図８を参照して別のマスタリングシステム１６０について説明する。システム１６０は図６に示すシステム１４０に類似しており、第１の変換器１４６に隣接して第２の変換器１６２を備える。好ましくは、変換器１４６、１６２間の効果的な間隔は、隣接するデータトラックと画像トラック間の所望の間隔に応じて設定される。このように、螺旋状に書き込まれるか同心円状に書き込まれるかに関係なく、データトラックと画像トラックはガラスマスタ１４２上に同時に効果的に形成される。
【００３２】
図９および図１０は、図６および図７のシステムによる好適な配列の別の例を示す。図９において、ユーザデータ螺旋１７０はそれぞれが独立した同心円状の画像トラック１７２、１７４、１７６で境界がつけられている。好ましくは、画像トラック１７２、１７４、１７６は、螺旋１７０に対するリードバックシステムの追従性向上のため、ユーザデータ螺旋１７０に直接隣接した領域において不連続である。図９からも明らかなように、リードバックシステムがユーザデータを容易に復元できるかぎり、任意の数の画像、データトラック密度およびトラック間隔を適宜使用できる。
【００３３】
ウォーターマーク画像は、その他の場合リードバックシステムにより読み込み可能なピットとランドそれぞれの長さ、幅、および／または深さを変調することにより形成しても良いが、上記のように、好適な実施形態においては、ユーザに戻されるユーザデータの符号化に画像データは使われない。つまり、ウォーターマーク画像のピクセルを形成するための特定の方法に、有用なデータリードバック信号となり得るピットとランドの特性を用いても良いが、そのようなデータはユーザに提供されるデータ内容（例えば、画像・Ａ／Ｖ処理、コンピュータＲＯＭプログラミング、音声データなど）から切り離され、その一部とならない。
【００３４】
場合によっては、リードバックシステムが画像データを捕らえ、そこから不要なリードバックシーケンスを始めてしまう可能性も考えられる。そのため、画像トラック／螺旋は、好ましくは、リードバックシステムの画像データ追従を制止し、ユーザデータに隣接するよう移動する特性を持つよう構成される。図１０は、同心円状トラックの一例を示すが、同様の特性が螺旋状トラックにも適用できることは明らかである。
【００３５】
図１０において、３つの同心円状データトラック１８０、１８２、１８４の間に、それぞれ、画像トラック１８６、１８８が挿入されている。画像トラック１８６は、リードバックシステムの変換器に追従される可能性のある遷移部やその他の特性を有しない不連続空隙１９０を備えている。変換器が画像トラック１８６からリードバックデータを変換し始めてしまった場合、空隙１９０により、対応するサーボループが、隣接するトラック１８０または１８２の１つを捕らえるために、変換器を半径方向に変位させる。
【００３６】
同様に、画像トラック１８８はほぼ同心円状であるが、後部１９２が螺旋状になっており、データトラック１８２と結合している。この場合、変換器が画像トラック１８８を追従し始めてしまった時には、後部１９２が最終的に変換器をデータトラック１８２上に戻す。
【００３７】
上述の通り、ここで説明したユーザデータ／画像データ双方の配置は再生専用型、追記型（一度もしくは数度にわたる）、あるいは他の媒体上において実施できる。
【００３８】
画像データを追記型ディスクへ付加する方法としては、まず、マスタディスクにデータトラック／螺旋のための波状予備溝（ＡＴＩＰ）を書き込み、その後、上記のように、同時または順次に最終的な所望のピクセル化パターンを画像トラック／螺旋にそって書き込んでいく。
【００３９】
この場合、いったん、このガラスマスタから複製媒体が（スタンパ成形などにより）形成されると、マスタリングの間に定められたピクセル化パターンに関して所望の図形が各複製追記型ディスク上に形成される。これは国際的な図形（例えば、商標や追記型ディスクのサプライヤもしくは供給元のブランド識別用の図形など）の場合に特に有益である。
【００４０】
この方法によれば、データトラック／螺旋領域は、一般的に、媒体においてエンドユーザもしくはコンテンツプロバイダによるデータの記録に使用可能な唯一の部分となる。便宜上、記録染料層（ユーザデータ上で透明なまま残る）をディスク全面に形成しても良い。別の方法としては、染料層を選択的に、記録可能なデータトラック／螺旋近辺にのみ割り付けるよう、ディスクを処理しても良い。
【００４１】
別の、好適な、画像データを追記型ディスクへ記録させる方法においては、データトラック／螺旋部、画像トラック／螺旋部のための個別の波状予備溝を形成する。好ましくは、同期語もしくはその他の適切な機構が、レコーダが画像トラックとユーザデータトラックの区別をつけられるように、画像トラックに適用される。
【００４２】
この状況で、「ブランク」の複製記録媒体は、初期状態でユーザデータ、画像の両方に関して実際にブランクである。これにより、ブランクの媒体の供給元もしくはディスクにコンテンツを追加するコンテンツプロバイダが続けて所望の画像を追加することができる。この画像技術においては、比較的簡略な画像プログラムを用いて画像データ領域上で入力画像を必要な露光パターンに変換することができるが、好ましくは、当業界で既知であるようにピットおよびランド長を変調する。
【００４３】
関連した実施形態において、追記型媒体（例えば、追記型ＤＶＤ−Ｒ）はブランクの状態でエンドユーザに提供され、エンドユーザによりブランクの媒体にデータが記録された時、エンドユーザレベルで簡易に実行可能なルーティンによって、ディスクに付加されているコンテンツを元に図形を付加する。ディスクに書き込まれているコンテンツを（例えば、インターネットを介して）検知し、そのコンテンツ（例えば、作者・ゲームプロバイダの名前、コンテンツのタイトルなど）を反映した適切な画像を形成しても良い。または、エンドユーザは媒体を個々に独自化するために付加する図形の選択肢を与えられても良い（例えば、「ジェフのディスク（Ｊｅｆｆｓ  Ｄｉｓｃ）」など）。
【００４４】
ここで実施される画像／データ配列の別の様相において、ディスクの複数の記録層および複数の記録層を備える媒体に、画像を記録しても良い。画像は、最終的な画像となるために分離されていても、結合していても良い。また、１つの層がプレマスタ画像を記憶し、他の層が後に形成される書き込み可能な画像を記憶しても良い（例えば、第１層の第１画像は媒体の供給元を特定し、第２層の第２画像はコンテンツのタイトルを特定する、など）。
【００４５】
上記の説明および添付の書類により明らかなように、本発明の好適な実施形態によれば、人間が検知可能な画像データ（ウォーターマーク）を光ディスクのような記憶媒体上に効率的かつ有効に付加する方法を提供できる。なお、好適な実施形態では画像データ、ユーザデータを記録するのに同じ記録装置を用いたが、特に同じものを使う必要はない。
【００４６】
また、埋め込まれる画像トラックに沿って記録されている画像データは、必ずしもピットとランドの形式をとる必要はない。画像データは、エンボス加工、着色、インクジェット書き込みなどによる色々なタイプの記号で表されて、画像トラックに記録されても良い。画像トラック、データトラックは、好ましくは、全方位３６０度の円状として説明したが、必ずしもそのような円状である必要はない。例えば、これに限定されるものではないが、２つの隣接するデータトラック間のトラックピッチは、媒体の全外周の一部分だけ延在する介在する画像トラックを収容するために選択されたトラックの角度範囲によって変わる。
【００４７】
以上、本発明の好適な実施形態について説明したが、当業者であれば特許請求の範囲に記載された技術的思想の範疇内において各種の変更例または修正例に想到し得ることは明らかであり、それらについても本発明の技術的範囲に属するものと了解される。
【図面の簡単な説明】
【００４８】
【図１】ユーザデータ記憶領域にデカルト座標により表される人間可読ウォーターマークを埋め込んだデータ記憶媒体の一例を示す俯瞰平面図である。
【図２】極座標により表されるウォーターマークを埋め込んだ図１に示した例に類似したデータ記憶媒体の他の例を示す俯瞰平面図である。
【図３】隣接するトラック間のピッチが第１のトラックピッチである連続したデータトラックを示す図である。
【図４】隣接するトラック間に１以上の画像トラックが介在するため、ピッチが第１のトラックピッチより大きい第２のトラックピッチであるデータトラックを示す図である。
【図５】図４に示すデータトラックと画像トラックの好適な配列を説明するための、ユーザデータトラック螺旋と入れ子状画像データトラック螺旋の図である。
【図６】図４に示すデータトラックと画像トラックの別の配列を、一連の入れ子にされた同心円として示す図である。
【図７】本発明の好適な実施例に係るデータ記憶手段を初期化するためのマスタリングシステムの図である。
【図８】本発明の好適な実施例に係るデータ記憶手段を初期化するための別のマスタリングシステムの図である。
【図９】データトラックと画像トラックのさらに別の配列を示す図である。
【図１０】データトラックと画像トラックのさらに別の配列を示す図である。
【図１】
2009512104.tif 000003
【図２】
2009512104.tif 000004
【図３】
2009512104.tif 000005
【図４】
2009512104.tif 000006
【図５】
2009512104.tif 000007
【図６】
2009512104.tif 000008
【図７】
2009512104.tif 000009
【図８】
2009512104.tif 000010
【図９】
2009512104.tif 000011
【図１０】
2009512104.tif 000012